(57)【特許請求の範囲】
【請求項１】
１つ以上の表示サブ領域を有する少なくとも１つの表示領域においてメディアデータのコンテンツをレンダリングするための表示コンポジションデータを送信する方法であって、該表示コンポジションデータが、マルチメディア前記メディアデータのコンテンツ成分どうしの空間的関係及び時間的関係のうちの少なくとも１つを定義するＭＭＴコンポジション情報を含む、方法において、
夫々の表示領域及び／又は夫々の表示サブ領域について、当該夫々の表示領域又は表示サブ領域の視覚的構成がユーザによって如何にして変更され得るかを示す表示変更データを送信すること
を有し、
前記表示変更データは、前記夫々の表示領域又は表示サブ領域の前記視覚的構成がユーザによって変更され得るか否かを示す変更ロックパラメータと、前記夫々の表示領域又は表示サブ領域の前記視覚的構成のユーザによる変更に課される変更制約を示す少なくとも１つの変更パラメータとを含む、
方法。
【請求項２】
表示領域についての夫々の変更ロックパラメータは、前記表示コンポジションデータの対応するビュー要素に含まれる、
請求項１に記載の方法。
【請求項３】
表示サブ領域についての夫々の変更ロックパラメータは、前記表示コンポジションデータの対応するエリア要素に含まれる、
請求項１又は２に記載の方法。
【請求項４】
前記少なくとも１つの変更パラメータは、夫々の表示領域において表示されるメディアデータが当該夫々の表示領域と異なる他の表示領域において表示され得るか否かを示すロック・ツー・ビューパラメータを含む、
請求項１乃至３のうちいずれか一項に記載の方法。
【請求項５】
前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す、
請求項１乃至４のうちいずれか一項に記載の方法。
【請求項６】
前記ロック・ツー・ビューパラメータは、前記表示サブ領域に対応するコンポジションデータのエリア要素に含まれる、
請求項５に記載の方法。
【請求項７】
前記少なくとも１つの変更パラメータは、表示中に可視的である前記夫々の表示サブ領域の最低限の割合を定義する表示サブ領域可視パラメータを含む、
請求項１乃至６のうちいずれか一項に記載の方法。
【請求項８】
前記表示サブ領域可視パラメータは、当該表示サブ領域に対応する表示コンポジションデータのエリア要素に含まれる、
請求項７に記載の方法。
【請求項９】
前記表示サブ領域可視パラメータは、当該表示サブ領域の表面積と、該表示サブ領域と重なり合う他の表示サブ領域の総表面積との比率に基づく、
請求項７又は８に記載の方法。
【請求項１０】
サブ領域AreaNについての前記表示サブ領域可視パラメータVisibility(AreaN)は、次の式：
【数７】
0006529493.tif 000009
に従って決定され、AreaiはAreaNと重なり合う全てのAreaを指し、Transparencyは、対応する表示サブ領域の透明度の量に対応する重み係数に対応する、
請求項９に記載の方法。
【請求項１１】
前記少なくとも１つの変更パラメータは、対応する表示領域又は表示サブ領域での表示中に可視的であるメディアコンテンツ成分の最低限の割合を定義する表示可視パラメータを含む、
請求項１乃至１０のうちいずれか一項に記載の方法。
【請求項１２】
１つ以上の表示サブ領域を有する少なくとも１つの表示領域でメディアデータのコンテンツを表示する方法であって、
前記少なくとも１つの表示領域でメディアデータのコンテンツをレンダリングするための表示コンポジションデータであり、前記メディアデータのコンテンツ成分どうしの空間的関係及び時間的関係のうちの少なくとも１つを定義するＭＭＴコンポジション情報を含む前記表示コンポジションデータと、夫々の表示領域及び／又は夫々の表示サブ領域について、当該夫々の表示領域又は表示サブ領域の視覚的構成がユーザによって如何にして変更され得るかを示す表示変更データとを受信することと、
前記表示コンポジションデータによって定義される第１表示構成に従って前記表示領域で前記メディアデータのコンテンツ成分をレンダリングすることであって、表示領域及び表示サブ領域が、前記表示変更データに応じて前記ユーザによって変更され得る、前記レンダリングすることと
を有し、
前記表示変更データは、前記夫々の表示領域又は表示サブ領域の前記視覚的構成がユーザによって変更され得るか否かを示す変更ロックパラメータと、前記夫々の表示領域又は表示サブ領域の前記視覚的構成のユーザによる変更に課される変更制約を示す少なくとも１つの変更パラメータとを含む、
方法。
【請求項１３】
前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す、
請求項１２に記載の方法。
【請求項１４】
前記少なくとも１つの変更パラメータは、表示中に可視的である前記夫々の表示サブ領域の最低限の割合を定義する表示サブ領域可視パラメータを含む、
請求項１２又は１３に記載の方法。
【請求項１５】
前記ＭＭＴコンポジション情報は、ＸＭＬドキュメントを含む、
請求項１２乃至１４のうちいずれか一項に記載の方法。
【請求項１６】
１つ以上の表示サブ領域を有する少なくとも１つの表示領域においてメディアデータのコンテンツをレンダリングするための表示コンポジションデータを送信する装置であって、該表示コンポジションデータが、前記メディアデータのコンテンツ成分どうしの空間的関係及び時間的関係のうちの少なくとも１つを定義するＭＭＴコンポジション情報を含む、装置において、
夫々の表示領域及び／又は夫々の表示サブ領域について、当該夫々の表示領域又は表示サブ領域の視覚的構成がユーザによって如何にして変更され得るかを示す表示変更パラメータを設定する表示変更パラメータ設定モジュールと、
前記表示コンポジションデータ及び前記表示変更パラメータを送信する送信器と
を有し、
前記表示変更パラメータ設定モジュールは、前記夫々の表示領域又は表示サブ領域の前記視覚的構成がユーザによって変更され得るか否かを示す変更ロックパラメータを設定するよう、且つ、前記夫々の表示領域又は表示サブ領域の前記視覚的構成のユーザによる変更に課される変更制約を示す少なくとも１つの変更制約パラメータを設定するよう構成される、
装置。
【請求項１７】
前記表示変更パラメータ設定モジュールは、前記表示領域の対応する表示サブ領域に関連し、該対応する表示サブ領域が前記表示領域とは異なる他の表示領域においてレンダリングされ得るか否かを示すロック・ツー・ビューパラメータを設定するよう構成される、
請求項１６に記載の装置。
【請求項１８】
前記表示変更パラメータ設定モジュールは、表示中に可視的である前記夫々の表示サブ領域の最低限の割合を定義する表示サブ領域可視パラメータを設定するよう構成される、
請求項１６又は１７に記載の装置。
【請求項１９】
１つ以上の表示サブ領域を有する少なくとも１つの表示領域でのメディアデータのコンテンツの表示を変更する端末デバイスであって、
少なくとも１つの表示領域でメディアデータのコンテンツをレンダリングするための表示コンポジションデータであり、前記メディアデータのコンテンツ成分どうしの空間的関係及び時間的関係のうちの少なくとも１つを定義するＭＭＴコンポジション情報を含む前記表示コンポジションデータを受信し、且つ、夫々の表示領域及び／又は夫々の表示サブ領域について、当該夫々の表示領域又は表示サブ領域の視覚的構成がユーザによって如何にして変更され得るかを示す表示変更データを受信する受信器と、
前記表示コンポジションデータから、前記メディアデータの１つ以上のコンテンツ成分どうしの空間的及び時間的関係を決定するレンダリングエンジンと、
前記表示コンポジションデータによって定義される第１表示構成に従って、前記表示領域で前記メディアデータのコンテンツ成分を表示するディスプレイと、
前記表示変更データに応じて表示領域又は表示サブ領域を変更するユーザインターフェイスと
を有し、
前記表示変更データは、前記夫々の表示領域又は表示サブ領域の前記視覚的構成がユーザによって変更され得るか否かを示す変更ロックパラメータと、前記夫々の表示領域又は表示サブ領域の前記視覚的構成のユーザによる変更に課される変更制約を示す少なくとも１つの変更パラメータとを含む、
端末デバイス。
【請求項２０】
前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す、
請求項１９に記載の端末デバイス。
【請求項２１】
前記少なくとも１つの変更パラメータは、表示中に可視的である前記夫々の表示サブ領域の最低限の割合を定義する表示サブ領域可視パラメータを含む、
請求項１９又は２０に記載の端末デバイス。
【請求項２２】
プログラム可能な装置のためのコンピュータプログラムであって、
前記プログラム可能な装置にロードされて実行される場合に、請求項１乃至１５のうちいずれか一項に記載の方法を実施する命令のシーケンスを含むコンピュータプログラム。
【発明の詳細な説明】
【技術分野】
【０００１】
本発明は、メディアデータの送信及び受信のための方法及び装置に関係がある。特に、しかし排他的ではなく、本発明は、ＭＰＥＧタイプのデータのようなメディアデータの送信及び受信、並びにディスプレイでメディアコンテンツをレンダリングする方法及び装置に関係がある。
【背景技術】
【０００２】
イメージ、テキスト、オーディオ及びビデオデータ又はそれらのあらゆる組み合わせのようなメディアコンテンツは、通信ネットワークを介して配信され、マルチメディアプレイヤーのようなメディアプレイヤーを含むユーザ端末で再生され得る。
【０００３】
マルチメディアサービスは、ビデオ、オーディオ、イメージ及びテキストデータのような様々なタイプのメディアコンテンツを提供する。マルチメディアプレイヤーは、ユーザによる消費のためにビデオ、オーディオ又はデータコンテンツの組み合わせをレンダリングするデバイスである。メディアコンテンツの再生は、可視的な表示、オーディオサウンド、などによって実現されてよい。異なったメディアコンテンツ成分がマルチメディアの形でユーザ端末へ配信される場合に、有効な消費及び提示のためにメディアコンテンツ成分の再生タイミング及び表示位置を決定することが重要である。
【０００４】
ＭＰＥＧ−Ｈパート１標準（ＭＰＥＧマルチメディアトランスポート又はＭＭＴとしても知られる。）は、例えば、イメージデータ、オーディオデータ、テキストデータ及び同様のもののような、時間の決まった及び時間不定のメディアコンテンツのパッケージング、トランスポート及びコンポジションのための完全な解を定義する。ＭＭＴは、“Text  of  ISO/IEC  2nd  CD  23008-1  MPEG  Media  Transport,  MPEG/N13293”，スイス、ジュネーブ、２０１３年１月（以降“ＭＭＴ＿ＣＤ”）において記載されている標準草案とともに、目下開発中である。ＭＭＴは主としてＩＰネットワークに対処し、一方、それは、パケットベースのあらゆるタイプのネットワーク上でのコンテンツの配信もサポートする。特に、ＭＭＴは、地上、ケーブル又は衛星ネットワークのようなブロードキャストネットワーク上でのオーディオビジュアルサービスの配信のために使用されてよい。
【０００５】
ＭＭＴ−ＣＩ（ＣＩはCompositional  Informationを言う。）は、ディスプレイでのメディアデータのコンテンツの時間的及び空間的レイアウトを制御する。ＭＭＴ−ＣＩは、コンテンツ提供者が、如何にしてメディアコンテンツが最初にディスプレイ上で構成されるのか、及び如何にして合成的な配置が時間において展開することができるのかを記載する可能性を提供し、一方、最終のレンダリングのユーザ個人化を提供することはない。ＭＭＴ端末は、ユーザが、ＨＴＭＬ５ページ及びＣＩ要素の現在のバージョンを“編集”することによって、表示を変えることを可能にしてよい。しかし、適切な制約によらなければ、そのような編集は、メディアコンテンツのレンダリングする混乱を直ちに生じさせ得る。更には、コンテンツ提供者が、そのコンテンツの最終のレンダリングがユーザによって変更されることを望まない場合に、ＭＭＴ−ＣＩは、望まれていない変更を阻止する可能性を提供しない。
【０００６】
本発明は、上記を考慮して発明されたものである。
【発明の概要】
【０００７】
概要において、本発明は、１つ以上のメディアコンテンツ成分又はエンティティのメディアデータコンテンツの表示のためにディスプレイ変更データを提供することに関係がある。メディアデータは、少なくとも１つの表示領域で１つ以上のメディアコンテンツ成分をレンダリングするための表示コンポジションデータに関連する。表示コンポジションデータは、メディアデータの１つ以上のコンテンツ成分どうしの空間的及び／又は時間的関係を定義する。表示領域は、１つ以上の表示サブ領域から成る。方法は、夫々の表示領域及び／又は夫々の表示サブ領域について、夫々の表示領域又は表示サブ領域の視覚的構成が如何にしてユーザによって変更され得るかを示す表示変更データを提供することを含む。表示変更データは、夫々の表示領域及び／又は表示サブ領域について、夫々の表示領域又は表示サブ領域の視覚的構成がユーザによって変更され得るか否かを示す変更ロックパラメータ；表示サブ領域が他の表示領域で表示され得るか否かを示すロック・ツー・ビューパラメータ；及び／又は表示領域での表示中に可視的であるディスプレイのメディアエンティティ又は表示サブ領域の最低限の割合を定義する表示可視パラメータを含んでよい。
【０００８】
語「メディアコンテンツ成分」は、メディアコンテンツの成分、メディアオブジェクト、メディアデータエンティティ、メディアアセット（例えば、ＭＭＴアセット）、又は同様のものを指してよい。例えば、ＭＭＴ−ＣＩでは、表示領域はビュー（View）に対応してよく、表示サブ領域はビュー内のエリア（Area）に対応してよい。
【０００９】
本発明の第１の態様に従って、１つ以上の表示サブ領域を有する少なくとも１つの表示領域においてメディアデータのコンテンツをレンダリングするための表示コンポジションデータを送信する方法であって、該表示コンポジションデータが、前記メディアデータのコンテンツ成分どうしの空間的関係及び時間的関係のうちの少なくとも１つを定義する、方法において、夫々の表示領域及び／又は夫々の表示サブ領域について、当該夫々の表示領域又は表示サブ領域の視覚的構成がユーザによって如何にして変更され得るかを示す表示変更データを送信するステップを有する方法が提供される。
【００１０】
実施形態において、前記表示変更データは、前記夫々の表示領域又は表示サブ領域の前記視覚的構成がユーザによって変更され得るか否かを示す変更ロックパラメータを含む。
【００１１】
実施形態において、前記表示変更データは、前記夫々の表示領域又は表示サブ領域の前記視覚的構成のユーザによる変更に課される変更制約を示す少なくとも１つの変更パラメータを含む。
【００１２】
変更パラメータは、例えば、表示領域の対応する表示サブ領域に関連し、該対応する表示サブ領域が当該表示領域とは異なる他の表示領域においてレンダリングされ得るか否かを示すロック・ツー・ビューパラメータ、及び／又は表示領域での表示中に可視的である夫々の表示サブ領域の最低限の割合を定義する表示サブ領域可視パラメータを含んでよい。
【００１３】
表示変更データは、特定の表示領域のための変更ロックパラメータ、幾つかの表示領域の夫々のためのロックパラメータ、又は夫々の表示領域のための夫々の変更ロックパラメータを含んでよい。
【００１４】
実施形態において、表示領域のための夫々の変更ロックパラメータは、表示コンポジションデータの対応するビュー要素に含まれる。
【００１５】
表示変更データは、特定の表示サブ領域のための変更ロックパラメータ、幾つかの表示サブ領域の夫々のためのロックパラメータ、又は夫々の表示サブ領域のための夫々の変更ロックパラメータを含んでよい。
【００１６】
実施形態において、表示サブ領域のための夫々の変更ロックパラメータは、夫々の表示サブ領域に対応する表示コンポジションデータのエリア要素に含まれる。
【００１７】
実施形態において、前記少なくとも１つの変更パラメータは、夫々の表示領域において表示されるメディアデータが当該夫々の表示領域と異なる他の表示領域において表示され得るか否かを示すロック・ツー・ビューパラメータを含む。
【００１８】
実施形態において、前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す。
【００１９】
実施形態において、前記ロック・ツー・ビューパラメータは、前記表示サブ領域に対応するコンポジションデータのエリア要素に含まれる。
【００２０】
実施形態において、前記少なくとも１つの変更パラメータは、表示中に可視的である前記夫々の表示サブ領域の最低限の割合を定義する表示サブ領域可視パラメータを含む。
【００２１】
表示変更データは、特定の表示サブ領域のための表示サブ領域可視パラメータ、幾つかの表示サブ領域の夫々のための表示サブ領域可視パラメータ、又は夫々の表示サブ領域のための夫々の表示サブ領域可視パラメータを含んでよい。
【００２２】
実施形態において、前記表示サブ領域可視パラメータは、当該表示サブ領域に対応する表示コンポジションデータのエリア要素に含まれる。
【００２３】
実施形態において、前記表示サブ領域可視パラメータは、当該表示サブ領域の表面積と、該表示サブ領域と重なり合う他の表示サブ領域の総表面積との比率に基づく。
【００２４】
実施形態において、サブ領域AreaNについての前記表示サブ領域可視パラメータVisibility(AreaN)は、次の式：
【００２５】
【数１】
0006529493.tif 000002
に従って決定され、AreaiはAreaNと重なり合う全てのAreaを指し、Transparencyは、当該対応する表示サブ領域の透明度の量に対応する重み係数に対応する。
【００２６】
実施形態において、前記少なくとも１つの変更パラメータは、当該対応する表示領域又は表示サブ領域での表示中に可視的であるメディアコンテンツ成分の最低限の割合を定義する表示可視パラメータを含む。
【００２７】
実施形態において、前記表示コンポジションデータはＭＭＴコンポジション情報を含む。実施形態において、該ＭＭＴコンポジション情報は、ＸＭＬドキュメントとして表される。
【００２８】
本発明の第２の態様に従って、１つ以上の表示サブ領域を有する少なくとも１つの表示領域でメディアデータのコンテンツを表示する方法であって、
前記少なくとも１つの表示領域でメディアデータのコンテンツをレンダリングするための、前記メディアデータのコンテンツ成分どうしの空間的関係及び時間的関係のうちの少なくとも１つを定義する表示コンポジションデータと、夫々の表示領域及び／又は夫々の表示サブ領域について、当該夫々の表示領域又は表示サブ領域の視覚的構成がユーザによって如何にして変更され得るかを示す表示変更データとを受信するステップと、
前記表示コンポジションデータによって定義される第１表示構成に従って前記表示領域で前記メディアデータのコンテンツ成分をレンダリングするステップであって、表示領域及び表示サブ領域が、前記表示変更データに応じて前記ユーザによって変更され得る、ステップと
を有する方法が提供される。
【００２９】
実施形態において、前記表示変更データは、前記夫々の表示領域又は表示サブ領域の前記視覚的構成がユーザによって変更され得るか否かを示す変更ロックパラメータを含む。
【００３０】
実施形態において、前記表示変更データは、前記夫々の表示領域又は表示サブ領域の前記視覚的構成のユーザによる変更に課される変更制約を示す少なくとも１つの変更パラメータを含む。
【００３１】
実施形態において、表示領域についての夫々の変更ロックパラメータは、前記表示コンポジションデータの対応するビュー要素に含まれる。
【００３２】
実施形態において、表示サブ領域についての夫々の変更ロックパラメータは、前記表示コンポジションデータの対応するエリア要素に含まれる。
【００３３】
実施形態において、前記少なくとも１つの変更パラメータは、夫々の表示領域において表示されるメディアデータが当該夫々の表示領域と異なる他の表示領域において表示され得るか否かを示すロック・ツー・ビューパラメータを含む。
【００３４】
実施形態において、前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す。
【００３５】
実施形態において、前記ロック・ツー・ビューパラメータは、当該表示サブ領域に対応するコンポジションデータのエリア要素に含まれる。
【００３６】
実施形態において、前記少なくとも１つの変更パラメータは、表示中に可視的である前記夫々の表示サブ領域の最低限の割合を定義する表示サブ領域可視パラメータを含む。
【００３７】
実施形態において、前記表示サブ領域可視パラメータは、当該表示サブ領域に対応する表示コンポジションデータのエリア要素に含まれる。
【００３８】
実施形態において、前記表示サブ領域可視パラメータは、当該表示サブ領域の表面積と、該表示サブ領域と重なり合う他の表示サブ領域の総表面積との比率に基づく。
【００３９】
実施形態において、サブ領域AreaNについての前記表示サブ領域可視パラメータVisibility(AreaN)は、次の式：
【００４０】
【数２】
0006529493.tif 000003
に従って決定され、AreaiはAreaNと重なり合う全てのAreaを指し、Transparencyは、当該対応する表示サブ領域の透明度の量に対応する重み係数に対応する。
【００４１】
実施形態において、前記少なくとも１つの変更パラメータは、当該対応する表示領域又は表示サブ領域での表示中に可視的であるメディアコンテンツ成分の最低限の割合を定義する表示可視パラメータを含む。
【００４２】
実施形態において、前記表示コンポジションデータは、ＭＭＴコンポジション情報を含む。実施形態において、該ＭＭＴコンポジション情報は、ＸＭＬドキュメントとして表される。
【００４３】
本発明の第３の態様に従って、１つ以上の表示サブ領域を有する少なくとも１つの表示領域においてメディアデータのコンテンツをレンダリングするための表示コンポジションデータを送信する装置であって、該表示コンポジションデータが、前記メディアデータのコンテンツ成分どうしの空間的関係及び時間的関係のうちの少なくとも１つを定義する、装置において、
夫々の表示領域及び／又は夫々の表示サブ領域について、当該夫々の表示領域又は表示サブ領域の視覚的構成がユーザによって如何にして変更され得るかを示す表示変更パラメータを設定する表示変更パラメータ設定モジュールと、
前記表示コンポジションデータ及び前記表示変更パラメータを送信する送信器と
を有する装置が提供される。
【００４４】
実施形態において、前記表示変更パラメータ設定モジュールは、前記夫々の表示領域又は表示サブ領域の前記視覚的構成がユーザによって変更され得るか否かを示す変更ロックパラメータを設定するよう構成される。
【００４５】
実施形態において、前記表示変更パラメータ設定モジュールは、前記夫々の表示領域又は表示サブ領域の前記視覚的構成のユーザによる変更に課される変更制約を示す少なくとも１つの変更制約パラメータを設定するよう構成される。
【００４６】
実施形態において、表示領域についての夫々の変更ロックパラメータは、前記表示コンポジションデータの対応するビュー要素に含まれる。
【００４７】
実施形態において、表示サブ領域についての夫々の変更ロックパラメータは、前記表示コンポジションデータの対応するエリア要素に含まれる。
【００４８】
実施形態において、前記表示変更パラメータ設定モジュールは、夫々の表示領域において表示されるメディアデータが当該夫々の表示領域と異なる他の表示領域において表示され得るか否かを示すロック・ツー・ビューパラメータを設定するよう構成される。
【００４９】
実施形態において、前記表示変更パラメータ設定モジュールは、前記表示領域の対応する表示サブ領域に関連し、該対応する表示サブ領域が前記表示領域とは異なる他の表示領域においてレンダリングされ得るか否かを示すロック・ツー・ビューパラメータを設定するよう構成される。
【００５０】
実施形態において、前記ロック・ツー・ビューパラメータは、当該表示サブ領域に対応するコンポジションデータのエリア要素に含まれる。
【００５１】
実施形態において、前記表示変更パラメータ設定モジュールは、表示中に可視的である前記夫々の表示サブ領域の最低限の割合を定義する表示サブ領域可視パラメータを設定するよう構成される。
【００５２】
実施形態において、前記表示サブ領域可視パラメータは、当該表示サブ領域に対応する表示コンポジションデータのエリア要素に含まれる。
【００５３】
実施形態において、前記表示サブ領域可視パラメータは、当該表示サブ領域の表面積と、該表示サブ領域と重なり合う他の表示サブ領域の総表面積との比率に基づく。
【００５４】
実施形態において、サブ領域AreaNについての前記表示サブ領域可視パラメータVisibility(AreaN)は、次の式：
【００５５】
【数３】
0006529493.tif 000004
に従って決定され、AreaiはAreaNと重なり合う全てのAreaを指し、Transparencyは、当該対応する表示サブ領域の透明度の量に対応する重み係数に対応する。
【００５６】
実施形態において、前記表示変更パラメータ設定モジュールは、当該対応する表示領域又は表示サブ領域での表示中に可視的であるメディアコンテンツ成分の最低限の割合を定義する表示可視パラメータを設定するよう構成される。
【００５７】
本発明の第４の態様に従って、１つ以上の表示サブ領域を有する少なくとも１つの表示領域でのメディアデータのコンテンツの表示を変更する端末デバイスであって、
少なくとも１つの表示領域でメディアデータのコンテンツをレンダリングするための、前記メディアデータのコンテンツ成分どうしの空間的関係及び時間的関係のうちの少なくとも１つを定義する表示コンポジションデータを受信し、且つ、夫々の表示領域及び／又は夫々の表示サブ領域について、当該夫々の表示領域又は表示サブ領域の視覚的構成がユーザによって如何にして変更され得るかを示す表示変更データを受信する受信器と、
前記表示コンポジションデータから、前記メディアデータの１つ以上のコンテンツ成分どうしの空間的及び時間的関係を決定するレンダリングエンジンと、
前記表示コンポジションデータによって定義される第１表示構成に従って、前記表示領域で前記メディアデータのコンテンツ成分を表示するディスプレイと、
前記表示変更データに応じて表示領域又は表示サブ領域を変更するユーザインターフェイスと
を有する端末デバイスが提供される。
【００５８】
実施形態において、前記表示変更データは、前記夫々の表示領域又は表示サブ領域の前記視覚的構成がユーザによって変更され得るか否かを示す変更ロックパラメータを含む。
【００５９】
実施形態において、前記表示変更データは、前記夫々の表示領域又は表示サブ領域の前記視覚的構成のユーザによる変更に課される変更制約を示す少なくとも１つの変更パラメータを含む。
【００６０】
実施形態において、表示領域についての夫々の変更ロックパラメータは、前記表示コンポジションデータの対応するビュー要素に含まれる。
【００６１】
実施形態において、表示サブ領域についての夫々の変更ロックパラメータは、前記表示コンポジションデータの対応するエリア要素に含まれる。
【００６２】
実施形態において、前記少なくとも１つの変更パラメータは、夫々の表示領域において表示されるメディアデータが当該夫々の表示領域と異なる他の表示領域において表示され得るか否かを示すロック・ツー・ビューパラメータを設定するよう構成される。
【００６３】
実施形態において、前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す。
【００６４】
実施形態において、前記ロック・ツー・ビューパラメータは、当該表示サブ領域に対応するコンポジションデータのエリア要素に含まれる。
【００６５】
実施形態において、前記少なくとも１つの変更パラメータは、表示中に可視的である前記夫々の表示サブ領域の最低限の割合を定義する表示サブ領域可視パラメータを含む。
【００６６】
実施形態において、前記表示サブ領域可視パラメータは、当該表示サブ領域に対応する表示コンポジションデータのエリア要素に含まれる。
【００６７】
実施形態において、前記表示サブ領域可視パラメータは、当該表示サブ領域の表面積と、該表示サブ領域と重なり合う他の表示サブ領域の総表面積との比率に基づく。
【００６８】
実施形態において、サブ領域AreaNについての前記表示サブ領域可視パラメータVisibility(AreaN)は、次の式：
【００６９】
【数４】
0006529493.tif 000005
に従って決定され、AreaiはAreaNと重なり合う全てのAreaを指し、Transparencyは、当該対応する表示サブ領域の透明度の量に対応する重み係数に対応する。
【００７０】
実施形態において、前記少なくとも１つの変更パラメータは、当該対応する表示領域又は表示サブ領域での表示中に可視的であるメディアコンテンツ成分の最低限の割合を定義する表示可視パラメータを設定するよう構成される。
【００７１】
実施形態において、前記表示コンポジションデータはＭＭＴコンポジション情報を含む。実施形態において、該ＭＭＴコンポジション情報は、ＸＭＬドキュメントとして表される。
【００７２】
本発明の第５の態様に従って、１つ以上の表示サブ領域を有する少なくとも１つの表示領域でレンダリングするためのメディアコンテンツを含むメディアデータと、前記表示領域での前記メディアデータのレンダリングを制御するための、前記メディアデータのコンテンツ成分どうしの空間的関係及び時間的関係のうちの少なくとも１つを定義する表示コンポジションデータと、夫々の表示領域及び／又は夫々の表示サブ領域について、当該夫々の表示領域又は表示サブ領域の視覚的構成がユーザによって如何にして変更され得るかを示す表示変更データとを含むデータパケットが提供される。
【００７３】
実施形態において、前記表示変更データは、前記夫々の表示領域又は表示サブ領域の前記視覚的構成がユーザによって変更され得るか否かを示す変更ロックパラメータを含む。
【００７４】
実施形態において、前記表示変更データは、前記夫々の表示領域又は表示サブ領域の前記視覚的構成のユーザによる変更に課される変更制約を示す少なくとも１つの変更パラメータを含む。
【００７５】
実施形態において、表示領域についての夫々の変更ロックパラメータは、前記表示コンポジションデータの対応するビュー要素に含まれる。
【００７６】
実施形態において、表示サブ領域についての夫々の変更ロックパラメータは、前記表示コンポジションデータの対応するエリア要素に含まれる。
【００７７】
実施形態において、前記少なくとも１つの変更パラメータは、夫々の表示領域において表示されるメディアデータが当該夫々の表示領域と異なる他の表示領域において表示され得るか否かを示すロック・ツー・ビューパラメータを設定するよう構成される。
【００７８】
実施形態において、前記少なくとも１つの変更パラメータは、前記表示領域の対応する表示サブ領域に関連するロック・ツー・ビューパラメータを含み、前記対応する表示サブ領域が前記表示領域とは異なる他の表示領域においてレンダリングされ得るか否かを示す。
【００７９】
実施形態において、前記ロック・ツー・ビューパラメータは、当該表示サブ領域に対応するコンポジションデータのエリア要素に含まれる。
【００８０】
実施形態において、前記少なくとも１つの変更パラメータは、表示中に可視的である前記夫々の表示サブ領域の最低限の割合を定義する表示サブ領域可視パラメータを含む。
【００８１】
実施形態において、前記表示サブ領域可視パラメータは、当該表示サブ領域に対応する表示コンポジションデータのエリア要素に含まれる。
【００８２】
実施形態において、前記表示サブ領域可視パラメータは、当該表示サブ領域の表面積と、該表示サブ領域と重なり合う他の表示サブ領域の総表面積との比率に基づく。
【００８３】
実施形態において、サブ領域AreaNについての前記表示サブ領域可視パラメータVisibility(AreaN)は、次の式：
【００８４】
【数５】
0006529493.tif 000006
に従って決定され、AreaiはAreaNと重なり合う全てのAreaを指し、Transparencyは、当該対応する表示サブ領域の透明度の量に対応する重み係数に対応する。
【００８５】
実施形態において、前記少なくとも１つの変更パラメータは、当該対応する表示領域又は表示サブ領域での表示中に可視的であるメディアコンテンツ成分の最低限の割合を定義する表示可視パラメータを設定するよう構成される。
【００８６】
実施形態において、前記表示コンポジションデータはＭＭＴコンポジション情報を含む。実施形態において、該ＭＭＴコンポジション情報は、ＸＭＬドキュメントとして表される。
【００８７】
実施形態において、前記表示変更データは、前記表示コンポジションデータに含まれる。
【００８８】
本発明の更なる態様は、ディスプレイの少なくとも１つのビューでメディアデータの１つ以上のメディアアセットをレンダリングするための表示コンポジションデータを送信する方法を提供する。ビューは１つ以上のエリアから成る。表示コンポジションデータは、メディアデータの１つ以上のメディアアセットどうしの空間的関係及び時間的関係のうちの少なくとも１つを定義する。方法は、夫々のビュー及び／又は夫々のエリアについて、当該夫々のビュー又はエリアの視覚的構成が如何にしてユーザによって変更され得るかを示す表示変更データを送信することを含む。
【００８９】
本発明の他の態様は、ディスプレイの少なくとも１つのビューでメディアアセットをレンダリングする方法を提供する。方法は、少なくとも１つのビューでメディアデータの１つ以上のメディアアセットをレンダリングするための表示コンポジションデータを受信することを含む。ビューは１つ以上のエリアから成る。表示コンポジションデータは、メディアデータの１つ以上のメディアアセットどうしの空間的関係及び時間的関係のうちの少なくとも１つを定義する。方法は、夫々のビュー及び／又は夫々のエリアについて、当該夫々のビュー又はエリアの視覚的構成が如何にしてユーザによって変更され得るかを示す表示変更データを受信し、表示コンポジションデータによって定義されている第１表示構成に従ってビューにおいて１つ以上のメディアアセットをレンダリングすることを含み、ビュー又はエリアは、表示変更データに応じてユーザによって変更されてよい。
【００９０】
本発明の他の態様は、少なくとも１つのビューでメディアデータの１つ以上のメディアアセットをレンダリングするための表示コンポジションデータを送信する装置を提供する。ビューは１つ以上のエリアから成る。表示コンポジションデータは、メディアアセットどうしの空間的関係及び時間的関係のうちの少なくとも１つを定義する。装置は、ビュー及び／又はエリアについて、夫々のビュー又はエリアの視覚的構成が如何にしてユーザによって変更され得るかを示す表示変更パラメータを設定する表示変更パラメータ設定モジュールと、表示コンポジションデータ及び表示変更データを送信する送信器とを有する。
【００９１】
本発明の他の態様は、少なくとも１つのビューでメディアデータの１つ以上のメディアアセットの表示を変更する端末デバイスを提供する。ビューは１つ以上のエリアから成る。端末デバイスは、少なくとも１つのビューで１つ以上のメディアアセットをレンダリングするための、メディアデータのメディアアセットどうしの空間的関係及び時間的関係のうちの少なくとも１つを定義する表示コンポジションデータと、夫々のビュー及び／又は夫々のエリアについて、当該夫々のビュー又は表示エリアの視覚的構成が如何にしてユーザによって変更され得るかを示す表示変更データとを受信する受信器と、表示コンポジションデータから、メディアデータの１つ以上のメディアアセットどうしの空間的及び／又は時間的関係を決定するレンダリングエンジンと、表示コンポジションデータによって定義されている第１表示構成に従ってビューでメディアアセットを表示するディスプレイと、表示変更データに応じてビュー又はエリアを変更するユーザインターフェイスとを有する。
【００９２】
本発明の他の態様は、１つ以上のエリアから成るビューでレンダリングするためのメディアアセットを含むメディアデータと、ビューでのメディアアセットのレンダリングを制御するための、メディアアセットどうしの空間的関係及び時間的関係のうちの少なくとも１つを定義する表示コンポジションデータと、夫々のビュー及び／又は夫々のエリアにういて、当該夫々のビュー又はエリアの視覚的構成が如何にしてユーザによって変更され得るかを示す表示変更データとを含むデータパケットを提供する。
【００９３】
実施形態において、表示変更データは、夫々のビュー又はエリアの視覚的構成がユーザによって変更され得るか否かを示す少なくとも１つの変更ロックパラメータと、夫々のビュー又はエリアの視覚的構成のユーザによる変更に課される変更制約を示す少なくとも１つの変更パラメータとを含む。
【００９４】
本発明の更なる他の態様は、少なくとも１つのビューでメディアデータの１つ以上のメディアアセットをレンダリングするための表示コンポジションデータを送信する方法に関係がある。ビューは１つ以上のエリアから成る。表示コンポジションデータは、メディアデータの１つ以上のメディアアセットをレンダリングどうしの空間的関係及び時間的関係のうちの少なくとも１つを定義する。方法は、夫々のビュー及び／又は夫々のエリアについて、表示変更データを送信することを含む。表示変更データは、当該夫々のビュー又はエリアの視覚的構成がユーザによって変更され得るか否かを示す少なくとも１つの変更ロックパラメータと、当該夫々のビュー又はエリアの視覚的構成のユーザによる変更に課された変更制約を示す少なくとも１つの変更パラメータとを含む。
【００９５】
発明の他の態様は、少なくとも１つのビューでメディアデータの１つ以上のメディアアセットをレンダリングするための表示コンポジションデータを送信する方法を提供する。ビューは１つ以上のエリアから成る。表示コンポジションデータは、メディアデータの１つ以上のメディアアセットどうしの空間的関係及び時間的関係のうちの少なくとも１つを定義する。方法は、夫々のビュー及び／又は夫々のエリアについて表示変更データを送信することを含む。表示変更データは、当該夫々のビュー又はエリアの視覚的構成がユーザによって変更され得るか否かを示す少なくとも１つの変更ロックパラメータと、当該ビューのエリアに関連し、該対応するエリアが他のビューでレンダリングされ得るか否かを示す少なくとも１つのロック・ツー・ビューパラメータと、当該対応するビューでの表示中に可視的である夫々のエリアの最低限の割合を定義する少なくとも１つのエリア可視パラメータとを含む。
【００９６】
本発明の他の態様は、少なくとも１つのビューでメディアアセットを表示する方法を提供する。ビューは１つ以上のエリアから成る。方法は、少なくとも１つのビューでメディアアセットをレンダリングするための、メディアデータの１つ以上のメディアアセットどうしの空間的関係及び時間的関係のうちの少なくとも１つを定義する表示コンポジションデータを受信し、夫々のビュー及び／又は夫々のエリアについて、当該夫々のビュー又はエリアの視覚的構成がユーザによって変更され得るか否かを示す少なくとも１つの変更ロックパラメータと、当該ビューのエリアに関連し、該対応するエリアが他のビューでレンダリングされ得るか否かを示す少なくとも１つのロック・ツー・ビューパラメータと、当該対応するビューでの表示中に可視的である夫々のエリアの最低限の割合を定義する少なくとも１つのエリア可視パラメータとを含む表示変更データを受信し、表示コンポジションデータによって定義されている第１表示構成に従って少なくとも１つのビューでメディアアセットをレンダリングすることを含み、ビュー又はエリアは、表示変更データに応じてユーザによって変更され得る。
【００９７】
本発明の他の態様は、少なくとも１つのビューでメディアデータの１つ以上のメディアアセットをレンダリングするための表示コンポジションデータを送信する装置を提供する。ビューは１つ以上のエリアから成る。表示コンポジションデータは、メディアデータの１つ以上のメディアアセットどうしの空間的関係及び時間的関係のうちの少なくとも１つを定義する。装置は、夫々のビュー及び／又は夫々のエリアについて、当該夫々のビュー又はエリアの視覚的構成がユーザによって変更され得るか否かを示す少なくとも１つの変更ロックパラメータと、当該ビューのエリアに関連し、該対応するエリアが他のビューでレンダリングされ得るか否かを示す少なくとも１つのロック・ツー・ビューパラメータと、当該対応するビューでの表示中に可視的である夫々のエリアの最低限の割合を定義する少なくとも１つのエリア可視パラメータとを含む表示変更パラメータを設定する表示変更パラメータ設定モジュールと、表示コンポジションデータ及び表示変更パラメータを送信する送信器とを有する。
【００９８】
本発明の他の態様は、少なくとも１つのビューでのメディアデータのメディアアセットの表示を変更する端末デバイスを提供する、ビューは１つ以上のエリアから成る。端末デバイスは、少なくとも１つのビューでメディアアセットをレンダリングするための、メディアアセットどうしの空間的関係及び時間的関係のうちの少なくとも１つを定義する表示コンポジションデータを受信し、且つ、夫々のビュー及び／又は夫々のエリアについて、当該夫々のビュー又はエリアの視覚的構成がユーザによって変更され得るか否かを示す少なくとも１つの変更ロックパラメータと、当該ビューのエリアに関連し、該対応するエリアが他のビューでレンダリングされ得るか否かを示す少なくとも１つのロック・ツー・ビューパラメータと、当該対応するビューでの表示中に可視的である夫々のエリアの最低限の割合を定義する少なくとも１つのエリア可視パラメータとを含む表示変更データを受信する受信器を有する。端末デバイスは、表示コンポジションデータからメディアアセットどうしの空間的及び／又は時間的関係を決定するレンダリングエンジンと、表示コンポジションデータによって定義される第１表示構成に従ってビューでメディアアセットを表示するディスプレイと、表示変更データに応じてビュー又はエリアを変更するユーザインターフェイスとを更に有する。
【００９９】
本発明の態様は、表示サブ領域から成る表示領域でのメディアコンテンツの表示を変更する表示変更データを供給又は処理する方法であって、表示変更データが、夫々の表示領域及び／又は夫々の表示サブ領域の視覚的構成が如何にしてユーザによって変更され得るかを示す、方法を提供する。
【０１００】
本発明の実施形態において、表示変更データは、次のパラメータのうちの１つ以上を含む：
夫々の表示領域又はサブ領域の視覚的構成がユーザによって変更され得るか否かを示す変更ロックパラメータ、
表示領域のサブ領域に関連し、対応する表示サブ領域が他の表示領域でレンダリングされ得るかを示すロック・ツー・ビューパラメータ、及び
対応するビューでの表示中に可視的である表示サブ領域の最低限の割合を定義するエリア可視パラメータ。
【０１０１】
本発明の更なる態様に従って、１つ以上のメディアエンティティのメディアデータと、少なくとも１つの表示領域で１つ以上のメディアエンティティをレンダリングするための表示コンポジションデータとを送信する方法が提供される。表示コンポジションデータは、メディアデータの１つ以上のメディアエンティティどうしの空間的及び／又は時間的関係を定義する。前記又は夫々の表示領域は、１つ以上の表示サブ領域から成る。方法は、表示領域及び／又は表示サブ領域について、夫々の表示領域又はサブ領域の視覚的構成がユーザによって変更され得るか否を示す変更ロックパラメータを送信することを含む。
【０１０２】
一実施形態において、変更ロックパラメータは、メディアデータとともに送信されてよい。他の実施形態において、変更ロックパラメータは、メディアデータとは別に送信されてよい。
【０１０３】
実施形態において、表示領域に関連するメディアエンティティのコンテンツが夫々の表示領域とは異なる他の表示領域で表示され得るか否かを示すビューロックパラメータは、送信される。
【０１０４】
実施形態において、表示サブ領域に関連するメディアエンティティのコンテンツが夫々の表示サブ領域とは異なる他の表示サブ領域で表示され得るか否を示すエリアロックパラメータは、送信される。
【０１０５】
実施形態において、対応する表示領域での表示中に可視的であるメディアエンティティの最低限の割合を定義する表示可視パラメータは、送信される。
【０１０６】
実施形態において、対応する表示領域の表示中に可視的である表示サブ領域の最低限の割合を定義する表示可視パラメータは、送信される。
【０１０７】
本発明の更なる態様は、夫々の表示デバイスの少なくとも１つの表示領域で１つ以上のメディアエンティティのコンテンツを表示する方法を提供する。前記又は夫々の表示領域は、１つ以上の表示サブ領域から成る。方法は、１つ以上のメディアエンティティのメディアデータと、１つ以上のメディアエンティティどうしの空間的及び／又は時間的関係を定義する表示コンポジションデータと、表示領域及び／又は表示サブ領域について、当該夫々の表示領域又は表示サブ領域の視覚的構成がユーザによって変更され得るか否かを示す変更ロックパラメータとを受信し、表示コンポジションデータに従って第１の所定の表示構成に従って表示領域で１つ以上のマルチメディアエンティティのコンテンツをレンダリングすることを含み、対応する変更ロックパラメータによって変更可能であるとして示された表示領域又は表示サブ領域のいずれか１つは、エンドユーザによって変更され得る。
【０１０８】
実施形態において、表示領域に関連するメディアエンティティのコンテンツが夫々の表示領域と異なる他の表示領域で表示され得るか否を示すビューロックパラメータは、受信される。
【０１０９】
実施形態において、表示サブ領域に関連するメディアエンティティのコンテンツが夫々の表示サブ領域と異なる他の表示サブ領域で表示され得るか否かを示すエリアロックパラメータは、受信される。
【０１１０】
実施形態において、対応する表示領域での表示中に可視的であるメディアエンティティの最低限の割合を定義する表示可視パラメータは、受信される。
【０１１１】
実施形態において、対応する表示領域の表示中に可視的である表示サブ領域の最低限の割合を定義する表示可視パラメータは、受信される。
【０１１２】
実施形態において、変更ロックパラメータ、ビューロックパラメータ、エリアロックパラメータ及び表示可視パラメータのうちの１つ以上は、表示コンポジションデータに含まれる。他の実施形態において、変更ロックパラメータ、ビューロックパラメータ、エリアロックパラメータ及び表示可視パラメータのうちの１つ以上は、表示コンポジションデータとは別個である。
【０１１３】
実施形態において、表示コンポジションデータはＭＭＴコンポジション情報を含む。
【０１１４】
本発明の更なる態様は、メディアデータと、表示領域でメディアデータをレンダリングための表示コンポジションデータとを送信する装置を提供する。表示コンポジションデータは、メディアデータの１つ以上のメディアエンティティどうしの空間的及び／又は時間的関係を定義する。表示領域は、１つ以上の表示サブ領域から成る。装置は、表示領域及び／又は表示サブ領域について、当該夫々の表示領域又は表示サブ領域の視覚的構成がユーザによって変更され得るか否かを示す変更ロックパラメータを設定する変更パラメータ設定モジュールと、メディアデータ、表示コンポジションデータ及び変更ロックパラメータを送信する送信器とを有する。
【０１１５】
実施形態において、変更パラメータ設定モジュールは、表示領域に関連するメディアエンティティのコンテンツが他の表示領域で表示され得るか否かを示すビューロックパラメータを設定するよう更に構成される。
【０１１６】
実施形態において、変更パラメータ設定モジュールは、表示サブ領域のメディアエンティティのコンテンツが他の表示サブ領域で表示され得るか否かを示すエリアロックパラメータを設定するよう更に構成される。
【０１１７】
実施形態において、変更パラメータ設定モジュールは、対応する表示領域での表示中に可視的である夫々のメディアエンティティの最低限の割合を定義する表示可視パラメータを設定するよう更に構成される。
【０１１８】
実施形態において、変更パラメータ設定モジュールは、表示領域での表示中に可視的である夫々の表示サブ領域の最低限の割合を定義する表示可視パラメータを設定するよう更に構成される。
【０１１９】
本発明の更なる態様は、表示デバイスの表示領域での１つ以上のメディアエンティティの表示を変更する端末デバイスを提供する。表示領域は、１つ以上の表示サブ領域から成る。端末デバイスは、メディアデータと、表示コンポジションデータと、表示領域及び／又は表示サブ領域について、夫々の表示領域又は表示サブ領域の視覚的構成がユーザによって変更され得るか否かを示す変更ロックパラメータとを受信する受信器と、表示コンポジションデータから、１つ以上のメディアエンティティどうしの空間的及び／又は時間的関係を決定するレンダリングエンジンと、表示コンポジションデータに従って第１の所定の表示構成に従って表示領域で１つ以上のマルチメディアエンティティのコンテンツを表示するディスプレイと、対応する変更ロックパラメータによって変更可能であるとして示された表示領域又は表示サブ領域のいずれかを変更するユーザインターフェイスとを有する。
【０１２０】
実施形態において、ユーザインターフェイスは、表示領域に関連するメディアエンティティのコンテンツが他の表示領域で表示され得るか否かを示すビューロックパラメータに従って、表示領域を変更するよう構成される。
【０１２１】
実施形態において、ユーザインターフェイスは、表示サブ領域に関連するメディアエンティティのコンテンツが他の表示サブ領域で表示され得るか否かを示すエリアロックパラメータに従って、表示サブ領域のいずれか１つを変更するよう構成される。
【０１２２】
実施形態において、ユーザインターフェイスは、表示領域での表示中に可視的である対応するメディアエンティティの最低限の割合を定義する表示可視パラメータに従って、表示サブ領域のいずれか１つを変更するよう構成される。
【０１２３】
本発明の更なる他の態様は、１つ以上のサブ領域から成る少なくとも１つの表示領域でレンダリングする１つ以上のメディアエンティティのメディアデータと、１つ以上のメディアエンティティどうしの空間的及び／又は時間的関係を定義するコンポジションデータと、表示変更データとを含むデータパケットを提供する。表示変更データは、夫々の表示領域及び／又は表示サブ領域について、当該夫々の表示領域又は表示サブ領域の視覚的構成がユーザによって変更され得るか否かを示す変更ロックパラメータ、表示領域又は表示サブ領域に関連するメディアエンティティのコンテンツが他の表示領域又は表示サブ領域で表示され得るか否かを示すビュー及び／又はエリアロックパラメータ、並びに表示領域での表示中に可視的であるメディアエンティティの最低限の割合を定義する表示可視パラメータのうちの少なくとも１つを含む。
【０１２４】
一実施形態において、表示変更データは、コンポジションデータに含まれる。代替の実施形態において、表示変更データは、コンポジションデータとは別個である。
【０１２５】
本発明の更なる態様は、メモリと、１つ以上のプロセッサと、前記メモリにおいて格納されており、前記１つ以上のプロセッサによる実行のために構成される１つ以上のモジュールとを有する電子デバイスを提供する。前記１つ以上のモジュールは、少なくとも１つの表示領域でのメディアデータの１つ以上のメディアエンティティのコンテンツの表示を変更する命令を含む。表示領域は、１つ以上の表示サブ領域から成る。命令は、メディアデータの１つ以上のメディアエンティティどうしの空間的及び／又は時間的関係を定義する表示コンポジションデータと、１つ以上のメディアエンティティがレンダリングされる夫々の表示領域及び／又は夫々の表示サブ領域について、当該夫々の表示領域又は表示サブ領域の視覚的構成が如何にしてユーザによって変更され得るかを示す表示変更データとを受信することを含む。前記表示変更データは、夫々の表示領域又は表示サブ領域の視覚的構成がユーザによって変更され得るか否かを示す変更ロックパラメータと、夫々の表示領域又は表示サブ領域の視覚的構成のユーザによる変更に課される変更制約を示す少なくとも１つの変更パラメータとを含む。命令は、表示コンポジションデータに従って第１表示構成に従って表示領域で１つ以上のマルチメディアエンティティのコンテンツをレンダリンすることを含む。対応する変更ロックパラメータによって変更可能であるとして示された表示領域又は表示サブ領域のいずれか１つは、少なくとも１つの変更パラメータによって示されている制約内で、エンドユーザによって変更されてよい。
【０１２６】
本発明に従う方法の少なくとも部分は、コンピュータによって実施されてよい。然るに、本発明は、全体がハードウェアによる実施形態、全体がソフトウェアによる実施形態（ファームウェア、常駐ソフトウェア、マイクロコード、などを含む。）、あるいは、全てが概して「回路」、「モジュール」又は「システム」とここでは呼ばれ得るソフトウェア及びハードウェアを組み合わせた実施形態、の形をとってよい。更には、本発明は、媒体において具現されているコンピュータ使用可能プログラムコードを有する表現のあらゆる有形な媒体において具現されるコンピュータプログラム製品の形をとってよい。
【０１２７】
本発明はソフトウェアにおいて実施され得るので、本発明は、あらゆる適切なキャリア媒体においてプログラム可能な装置へ提供されるコンピュータ可読コードとして具現され得る。有形なキャリア媒体は、フロッピー（登録商標）ディスク、ＣＤ−ＲＯＭ、ハードディスクドライブ、磁気テープデバイス又はソリッドステートメモリデバイス、及び同様のもののような記憶媒体を有してよい。一時的なキャリア媒体には、電気信号、電子信号、光信号、音響信号、磁気信号又は電磁気信号（例えば、マイクロ波若しくはＲＥ信号）のような信号が含まれ得る。
【図面の簡単な説明】
【０１２８】
本発明の実施形態は、これより、単なる一例として、次の図面を参照して記載される。
【図１】ＭＭＴ−ＣＩのビューの例を概略的に表す。
【図２】ＭＭＴ−ＣＩの基本構造の例と、対応するＨＴＭＬドキュメントとのその関係との例を概略的に表す。
【図３】本発明に従って、ユーザによる変更のためのビューの例を概略的に表す。
【図４】本発明に従って、ユーザによる変更のためのビューの他の例を概略的に表す。
【図５】本発明の１つ以上の実施形態が実施され得るデータ通信システムの例のブロック図である。
【図６】本発明の１つ以上の実施形態が実施され得る送信デバイスの例のブロック図である。
【図７】本発明の１つ以上の実施形態が実施され得る端末デバイスの例のブロック図である。
【図８】本発明の１つ以上の実施形態が実施され得る端末デバイスの他の例のブロック図である。
【発明を実施するための形態】
【０１２９】
本発明の実施形態は、ＭＭＴ（MultiMedia  Transport）（マルチメディアトランスポート）に関連して、特に、ＭＭＴコンポジション情報（ＣＩ；Composition  Information）に関連して記載される。コンポジション情報は、マルチメディアデータの提示様態を定義し、１つ以上のディスプレイでレンダリングされるべきメディアデータコンテンツの様々な成分（例えば、ＭＭＴアセット又はＭＰＵ）の時間的及び空間的レイアウトを制御するのに使用される。
【０１３０】
ＭＭＴでは、語「アセット」は、同じトランスポート特性を有してデータを含むデータエンティティであって、同じアセットＩＤを有する１つ以上のＭＰＵ（Media  Processing  Unit）（メディア処理単位）から成るものを指す。語「パッケージ」は、１つ以上のアセットと、それらの関連するアセット配信特性（すなわち、アセットの配信のための必要とされるクオリティ・オブ・サービスに関する記述）及びコンポジション情報（ＣＩ）（すなわち、アセット間の空間的及び時間的関係の記述）とから成るデータの論理的な集合を指す。
【０１３１】
ＭＭＴ−ＣＩは、消費及び提示のために、ＭＭＴアセット又はＭＰＵのようなメディアコンテンツ成分どうしの関係配置を指定し、次を定義する：
・空間コンポジション、すなわち、ビューにおいてレンダリングされる夫々のメディアコンテンツ成分の位置；
・時間コンポジション、すなわち、メディアコンテンツ成分どうしのタイミング同期化；
・１つ以上の表示デバイスでの同時の表示又は仮想表示をサポートする多元ビュー。
【０１３２】
特に、ＣＩは、様々なメディアコンテンツ成分の配信のための同期化情報を提供する。コンポジション情報は、ＨＴＭＬ５及びＸＭＬを用いて指定されてよい。ＨＴＭＬ５ドキュメントは、メディアコンテンツ成分（例えば、ＭＭＴアセット又はＭＰＵ）どうしの空間的関係に関する初期情報を提供し、ＸＭＬで定義されるＣＩドキュメントは、関連するＨＴＭＬドキュメントを補完するよう、様々なメディアコンテンツ成分どうしの時間的関係に関する情報を提供する。ＣＩレイヤは、ＨＴＭＬ５ページを拡張し、提示のリソース、ＭＭＴ成分の配信及び消費順序に必要な時間的情報、並びに特定ビューへのＭＭＴ成分のマッピングとして、ＭＭＴパッケージのＭＭＴ成分（例えば、ＭＭＴアセット）の関連付けを定義する記述言語である。
【０１３３】
メディアデータコンテンツ成分（例えば、ＭＭＴアセット又はＭＰＵ）の間の時間的関係及び複数のデバイスで消費されるメディアデータのマッピングの記述的表現をサポートするよう、コンポジションレイヤは、次のような幾つかの要素及び属性を定義する：
・リソースとしてのＨＴＭＬ５メディア要素及びメディアデータの関連付け；
・メディアデータの提示時間の時間的情報；
・マルチスクリーン環境において特定のスクリーンで提示されるべきメディアデータの特定の成分の指定。
【０１３４】
典型的なＭＭＴ−ＣＩ処理エンジンは、ＭＭＴアセットの初期空間コンポジションを定義するためにＭＭＴ−ＣＩ及び１つ以上のＭＭＴアセットを含むＭＭＴパッケージに関連するＨＴＭＬ５ページを処理し、ＣＩデータをパースして時間において提示を制御する。
【０１３５】
ＨＴＭＬ５ファイルは、ドキュメント・オブジェクト・モデル（ＤＯＭ；Document  Object  Model）ツリーへと通常はパースされ、メモリにおいて格納される。ＣＩ処理エンジンは、ＣＩファイルに含まれている情報に従って、指定された時間でＤＯＭへ変化を適用する。ＤＯＭノード／要素は、それらの識別子を用いて、あるいは、場合により、特定のパターン（例えば、ｊＱｕｅｒｙセクタを通じて提供される。）を用いて、参照される。
【０１３６】
図１は、ＭＭＴ−ＣＩにおけるビュー（view）の例を概略的に表す。ビュー１００は、表示領域全体に相当し、１つ以上のエリア（Area）、すなわち、表示サブ領域から成ってよい。表されている例では、ビューは、エリア１、エリア２及びエリア３と夫々名付けられた３つのサブ領域１１０＿１、１１０＿２及び１１０＿３に分割されている。１つ以上のＭＭＴメディアアセット１２０＿１・・・１２０−５は、夫々のエリアにおいてレンダリングされている。
【０１３７】
ＭＭＴ−ＣＩは、アセット、エリア及びビューに関してＭＭＴパッケージにおいて空間的及び時間的関係を記述する。図２は、ＣＩの基本構造の例を概略的に表す。ＣＩは、ＭＭＴパッケージに関連するＣＩドキュメント１０と、関連するＨＴＭＬ５ページ２０とを含む。表されているように、ＣＩドキュメントの基本構造は、ＨＴＭＬ５ドキュメントの構造から得られる。
【０１３８】
ＭＭＴ−ＣＩの根要素はＨＴＭＬドキュメント２０である。ＨＴＭＬドキュメント２０は、ビデオ、オーディオ、イメージ、又はトラック要素であってよいＨＴＭＬ５メディア要素を、それらの関連する空間情報とともに含むＨＴＭＬ５ドキュメントである。ＣＩドキュメントへの参照は、ＨＴＭＬ５ドキュメントにおいて、通常は、ＣＩパーサーを起動するＪａｖａｓｃｒｉｐｔ（登録商標）の部分として含まれてよい。メディア要素の空間情報は、対応するメディアデータ（例えば、ＭＭＴアセット）を提示するのに使用される。ＨＴＭＬ５ドキュメントのボディ要素は、複数のスクリーンでの部分消費が認められるべき場合に、１つよりも多い空間領域（すなわち、div要素）を含む。
【０１３９】
図２で表されている例では、ＨＴＭＬ５ドキュメント２０は、２つの主たる要素、すなわち、ヘッド要素２１及びボディ要素２２を含む。ヘッド要素２１及びボディ要素２２における幾つかの要素は、ＭＭＴ−ＣＩの要件を満足するために拡張又は付加される。
【０１４０】
ヘッド要素２１は、ＭＭＴパッケージに関する情報を提供するタイトル要素２１１を含む。ビューに対応するビュー要素１１は、ビューに関する空間的及び時間的情報を提供する。ビューのエリアに対応するdivLocation要素１１１は、エリアに関する時間的に変化する空間情報を提供する。ボディ要素２２は、ビデオ、オーディオ、画像、テキストなどのようなＭＭＴアセット要素２２１１を含むdiv要素２２１を含む。ＭＭＴアセット２２１１（ビデオ、オーディオ、・・・）は、ＭＭＴアセットの空間的及び時間的情報を提供する。
【０１４１】
ＣＩドキュメント１０は、ビュー、エリア及びメディアデータに関する時間的情報を提供する。ＣＩドキュメント１０の根要素は、ＣＩ要素であって、ビュー及びメディアシンク（MediaSync）要素のような要素を含んでよい。それらの要素の役割は、次の通りである：
・ビュー：ビュー及びそのエリアの空間的変化に関する時間的情報を提供する。  
・メディアシンク：メディアデータ（例えば、ＭＭＴアセット）の提示に関する時間的情報を提供する。
【０１４２】
エリア要素、すなわち、divLocation要素は、ビュー要素の子要素であり、ビューの対応するエリアの時間における空間的変化に関する情報を提供する。
【０１４３】
単一のＭＭＴディスプレイによって消費され得るビューにおける初期エリアは、ＨＴＭＬページ２０のdiv要素２２１によって生成される。ビューにおける初期エリアの時間における空間的変化は、ＭＭＴ−ＣＩドキュメントのdivLocation要素１１１によって取得され得る。div要素２２１及びdivLocation要素１１１は、ビューのエリアの空間位置が、ＨＴＭＬ５ページの全体をリロードすることなしに、動的に変更及び更新されることを可能にする。
【０１４４】
基本的に、ＨＴＭＬ５ページは、初期ビューが記述されることを可能にし、ＣＩドキュメントは、ビューが更新されること、及び新しい追加ビューが生成されることを可能にする。更新は、ビューの空間的又は時間的変更、新しいビューの導入、あるいは、新しいアセットの導入を含んでよい。ＣＩレイヤにおけるメディアシンク要素は、メディアアセットに関する時間的情報（通常は、同期化情報）を提供する。
【０１４５】
合成的な配置が制約内で変更されることを可能にするメディアデータのための表示変更データを提供する本発明の実施形態は、図３乃至８を参照して記載される。
【０１４６】
初期ビュー内のＭＭＴパッケージのグラフィックメディアアセット（例えば、イメージ又はビデオ又はテキスト）の初期位置及びサイズは、ＣＳＳスタイルシート又はＣＳＳインラインスタイルパラメータを用いて、ＭＭＴパッケージに関連するＨＴＭＬ５ページにおいてアセットとして定義される。
【０１４７】
以前は、コンテンツ提供者が、それらの定義されたエリアの位置の如何なる変更も阻止したいと望んだ場合には、ＣＳＳスタイルシートによって提供される唯一の解決策は、スタイルとして“position:  fixed”（“位置：固定”）を使用し、エンドディスプレイに対してピクセル座標によりオブジェクトの位置を指定することであった。しかし、これは、エンドディスプレイの実際のサイズ（行ごと及び列ごとのピクセルの数に関する。）が、ＨＴＭＬ５ページが生成される時点で知られていないので、実行可能な解決策ではない。そのような解決策は、エンドディスプレイが固定のよく知られた解像度を有する環境でしか働かない。これは、例えば、ＴＶセットには当てはまらない。
【０１４８】
本発明の実施形態において、１つ以上の変更パラメータは、ビューが生成されるときに所定の制約内での変更を可能にするために与えられる。
【０１４９】
本発明の１つの特定の実施形態において、ビューのＭＭＴアセットの表示の変更が許されるか否かを示すために、変更ロックパラメータが変更パラメータとして与えられる。変更ロックパラメータは、例えば、Boolean型であってよい。変更ロックパラメータは、ビュー又はエリアに関連し、対応するビュー又はエリアがユーザによって変更され得るか否かを示す値を有する。一般的な実施形態では、変更ロックパラメータはコンポジション情報に含まれる。１つの特定の例では、変更ロックパラメータは、ＭＭＴパッケージのコンポジション情報のビュー要素及びdivLocation要素に含まれてよい。ビューのための夫々の変更ロックパラメータは、ＣＩドキュメントの夫々のビュー要素に含まれる。エリアのための夫々の変更ロックパラメータは、ＣＩドキュメントの夫々のエリア要素（divLocation要素）に含まれる。この例では、変更ロックパラメータは“isLocked”（“ロック済み”）と呼ばれ、“TRUE”（“真”）に設定されているデフォルト値を有する。“TRUE”は、対応するビュー又はdivLocation要素によって参照されるビュー又はエリアが変更され得ないことを、メディアデータ及びコンポジションデータを受信するレンダリングブラウザに示す。表示変更を可能にするために、ビューが生成される時点で、変更ロックパラメータは“FALSE”（“偽”）に設定される。ビューレベル及びエリアレベルの両方で変更ロックパラメータを与えることは、ビュー全体又はビューの特定のエリアのみが変更可能であることを可能にする。１つの特定の実施形態において、ＭＭＴ−ＣＩ  ＸＭＬスキーマの実際の変更は、ＣＩの“viewType”（“ビュータイプ”）及び“divLocationType”（“divLocationタイプ”）の定義内に次のような行を含むことを伴う：
<xsd:attribute  name=“isLocked”  type=“xsd:boolean”  use=“optional”  default=“TRUE”/>。
【０１５０】
本発明の更なる実施形態において、ロック・ツー・ビューパラメータは、ビューの対応するエリアが他のビューへ移動され得ないことを示すよう、エリアについて与えられてよい。例えば、コンテンツ提供者は、エリア内のＭＭＴアセットの特定のメディアコンテンツが１つの特定ビューに居続け、他のビューへ移動され得ないことを指定したいと望むことがある（例えば、主たるＡＶコンテンツは、二次表示スクリーンへ送信され得ない。）。
【０１５１】
１つの特定の実施形態において、ビューロックパラメータは、本例では“isLockedToView”（“ビューにロック済み”）と呼ばれ、デフォルト値“TRUE”を有する新しいBooleanパラメータを導入するよう、ＭＭＴ−ＣＩのＣＩドキュメントのdivLocation要素を変更することによって与えられる。“TRUE”に設定される場合に、ロック・ツー・ビューパラメータは、夫々のエリアが他のビューへ送られ得ないことをレンダリングブラウザに示す。ＭＭＴ−ＣＩ  ＸＭＬスキーマの変更は、例えば、“divLocationType”の対応する定義内に次の行を加えることによって、実行されてよい：
<xsd:attribute  name=“isLockedToView”  type=“xsd:boolean”  use=“optional”  
default=“TRUE”/>。
【０１５２】
本発明の更なる実施形態において、エリアロックパラメータは、エリアに関連するメディアアセットが他のエリアへ移動され得ないことを示すよう与えられてよい。
【０１５３】
本発明の実施形態において、ディスプレイ上でのグラフィカルメディアオブジェクトの最低限の可視性を定義するために、最低可視パラメータは与えられる。最低可視パラメータは、エリアに関連付けられており、ディスプレイ上で可視的であるエリアの最低限の割合を定義する。１つの特定の実施形態において、最低可視パラメータは、関連するＭＭＴ−ＣＩにおいて、エリアに対応するdivLocation要素に含まれる。最低可視パラメータは、対応するエリア（表示サブ領域）の可視性が常に確保されるべき程度をレンダリングブラウザに知らせるパーセンテージ属性“minVisibility”を定義する。エリアに関する“100”の“minVisibility”は、他のエリアがそのエリアに全く重なり合うことができないことを確かにする。この新しいパラメータのデフォルト値は、ＨＴＭＬ５及びＣＳＳのデフォルトの挙動に従うために、“0”に設定される。エリアの可視化値は、エリアの表面積と、そのエリアと重なり合う全ての他のエリアの表面積との間の比を計算することによって、決定され得る。万が一、透明度が使用される場合には、全てのエリア（メインのエリア及び重なり合うエリア）の表面積は、次の式で示されるように、透明度によって重み付けされる：
【０１５４】
【数６】
0006529493.tif 000007
この式で、Areaiは、AreaNと重なり合う全てのエリアを指す。
【０１５５】
１つの特定の実施形態において、最低可視パラメータは、パーセンテージ型のパラメータをＭＭＴ−ＣＩに導入することによって与えられる。
【０１５６】
ＭＭＴ−ＣＩ  ＸＭＬスキーマの変形は、スキーマのタイプ生成セクション内で次の行を用いてパーセンテージ（Percentage）型を生成すること：
<xsd:simpleType  name=“Percentage”>
<xsd:restriction  base=“xsd:unsignedShort”>
<xsd:minInclusive  value=“0”/>
<xsd:maxInclusive  value=“100”/>
</xsd:restriction>
</xsd:simpleType>
及び“divLocationType”の定義内で次の行を加えること：
<xsd:attribute  name=“minVisibility”  type=“Percentage”  use=“optional”  default=“0”/>
を伴う。
【０１５７】
上記の実施形態では、表示変更パラメータ（変更ロックパラメータ、ビュー又はエリアロックパラメータ、及び表示可視パラメータ）はＣＩに含まれ、一方、本発明の他の実施形態では、表示変更パラメータはＣＩと別個に送信されてよいことが理解されるであろう。
【０１５８】
上記の変更パラメータの導入によれば、ＭＭＴパッケージにおける１つ以上のビューはユーザによって個人化されてよい。このようにして、エンドユーザは、変更パラメータによって課されている制限内で、夫々のビューについてエリアのコンポジションを決定する。上記の変更パラメータの全てが与えられてよく、あるいは、変更パラメータのうちの１つ以上が与えられてよい。
【０１５９】
ユーザがディスプレイ上で１つ以上のメディアエンティティの提示を変更することを可能にするユーザインターフェイスの例は、本発明の実施形態に従って、これより記載される。ユーザインターフェイスは、タブレットのようなタッチスクリーンデバイスにおいて実装されてよい。なお、明らかなように、同様の機能は、キーボード又はジョイスティックのようなユーザ入力インターフェイスを設けられている従来のスクリーンにおいても提供され得る。
【０１６０】
一実施形態において、ＭＭＴ−ＣＩの解析から、ＭＭＴパッケージに関連する全ての異なるビュー及び全ての異なるエリアと、ビュー内の異なるエリアの初期空間コンポジションとを識別することが可能である。個人化ユーザインターフェイスは、元のレンダリングディスプレイとは異なる第２のディスプレイにおいて提供されてよい。ＭＭＴ−ＣＩインフォは、第２のディスプレイの表示デバイスへ送信されてよい。ユーザは、上述されたように変更パラメータに従って第２のディスプレイにおいてビューを変更し、変更されたビューを、更新の処理のために、元のレンダリングデバイスへ送信することができる。それにより、メディアコンテンツは、ユーザによってなされた変更に従ってディスプレイ上でレンダリングされてよい。
【０１６１】
幾つかのビューがＭＭＴ−ＣＩ  ＸＭＬフラグメントにおいて定義される場合に、ユーザがどのビューを変更したいと望むのかに関して、選択の権利がユーザに与えられる。例えば、タッチスクリーンでは、選択手段は、物理的なメニューボタン、又はユーザインターフェイス上にある設定ボタンを用いて、提供されてよい。
【０１６２】
ビューが選択されると（あるいは、ただ１つのビューしか存在しない場合に）、位置及びサイズがＭＭＴ−ＣＩ  ＸＭＬフラグメントにおいて定義されているビューの異なるエリアがユーザに表示される。そのような情報は、ＣＩの異なるdivLocation要素をブラウジングし、開始属性が０秒に設定されているdivLocation要素を選択し、ＣＳＳスタイルパラメータを読み出すことによって、容易にアクセス可能である。図３は、図１の例において見られるように、ＣＩが３つのエリア３１０＿１、３１０＿２及び３１０＿３を定義するとき、表示デバイス３５０においてユーザに提示されるビュー３００の例を概略的に表す。
【０１６３】
タッチスクリーンで利用可能な従来のドラッグ・アンド・ドロップ及びピンチ・アンド・ズームを用いることによって、ユーザは、変更パラメータによって課されている制約内で、対応する変更ロックパラメータによって変更可能であると示されているビュー３００の夫々のエリア３１０の位置及びサイズを変更することができる。ユーザ端末３５０のレンダリングエンジンは、エリアが変更されることを可能にする前に、ビュー３００及び夫々のエリア３１０の変更ロックパラメータの“isLocked”属性を確かめる。同様に、エリアがリサイズされるとき、ＣＳＳスタイルが確認され、リサイズ、最小幅、最大幅、最小高さ及び最大高さ属性が、存在する場合に強制される。ユーザが２つのエリアを重ね合わせたいと望む場合に、重なり合ったエリアの最低可視パラメータは、“minVisibility”属性が、対応する表示可視パラメータによってこのエリアについて設定されているならば、確かめられる。
【０１６４】
幾つかのビューがＣＩにおいて定義されているとき、ユーザは、異なるビューの間でエリアを動かす手段を提供される。一例において、この操作は、夫々のエリアに関連するコンテクストメニューによってエリアが１つのビューから他のビューへ送信されることを可能にする次の動作を提供することで実施される。例えば、“エリアを別のビューへ送る”及び“エリアを別のビューからインポートする”。動作が選択されると、ユーザインターフェイスは、エクスポート又はインポートすべきビューを選択するために使用される。タッチスクリーンにおいて、例えば、コンテクストメニューは、エリア上の持続的なタッチ圧（ホールドジェスチャ）に応答して得られてよい。そのエリアのためのビューロックパラメータが、エリアが元のビューから移動され得ない（例えば、“isLockedToView”がTRUEに設定されている）ことを示す場合には、エリアは元のビューに固定されたままであり、ユーザインターフェイスによって１つのビューから他のビューへ移動され得ない。
【０１６５】
ユーザがコンポジションの個人化を終えると、物理メニューボタン又はインターフェイス上にある設定ボタンを通じてアクセス可能なセーブ動作がトリガされ得る。次いで、変更されたＣＩフラグメントは、処理のためにメインディスプレイへ返送され得る。
【０１６６】
コンポジションが変更されることを可能にするユーザインターフェイスの更なる実施形態において、ユーザインターフェイス操作は、ＭＭＴ−ＣＩレイヤ及びＭＭＴパッケージＨＴＭＬ５ページに基づく。
【０１６７】
全てのエリアに存在するメディアアセットに関する情報は、ＭＭＴパッケージに関連するＨＴＭＬ５ページにおいて記載されている。従って、ＣＩ  ＸＭＬフラグメント及びＨＴＭＬ５ページの両方を個人化のために第２のディスプレイへ送ることによって、最初の例のインターフェイスと同様であるが、グラフィカルエリアが夫々のメディアエンティティの実際のメディアコンテンツにより満たされ得るユーザインターフェイスを提供することが可能である。図４は、ビュー４００がエリア４１０＿１、４１０＿２及び４１０＿３から成るところのそのような例を表す。ビデオコンテンツはエリア１  ４１０＿１において提示され、テキストデータはエリア２  ４１０＿２において提示され、画像コンテンツはエリア３  ４１０＿３において提示される。
【０１６８】
図５は、本発明の１つ以上の実施形態が実装され得るデータ通信システムを概略的に表す。データ通信システム５００は、送信デバイス、この場合にサーバ５１０を有する。サーバ５１０は、データ通信ネットワーク５３０を介して受信デバイス、この場合にクライアント端末５１０へ、データストリームのデータパケットを送信するよう動作する。データ通信ネットワーク５３０は、ワイドエリアネットワーク（ＷＡＮ；Wide  Area  Network）又はローカルエリアネットワーク（ＬＡＮ；Local  Area  Network）であってよい。そのようなネットワークは、例えば、無線ネットワーク（Ｗｉ−Ｆｉ（登録商標）８０２．１１ａ又はｂ又はｇ）、Ｅｔｈｅｒｎｅｔ（登録商標）ネットワーク、インターネットネットワーク、あるいは、幾つかの異なるネットワークから成る複合ネットワークであってよい。本発明の特定の実施形態において、データ通信システムは、サーバ５１０が複数のクライアント５２０へ同じデータコンテンツを送信するデジタルテレビジョン放送システムであってよい。
【０１６９】
サーバ５１０によって供給されるデータストリーム５４０は、コンポジション情報とともにＭＭＴパッケージの形で送信されるビデオ及びオーディオデータを表すマルチメディアデータを有する。マルチメディアデータは、画像、オーディオ及びテキスト（文字列）のような様々なタイプのメディアデータのデータを含む。コンポジション情報は、マルチメディアアセットの時間的／空間的配置データを定義する。時間的／空間的配置データは、メディアデータの夫々の成分又はメディアエンティティについての再生タイミング及び再生様式、すなわち、時間的／空間的配置、例えば、いつメディアデータを再生すべきか及び／又はどの位置でメディアデータを表示すべきか、を決定する。
【０１７０】
サーバ５１０は、ビデオ及びオーディオストリームを符号化するエンコーダを設けられており、特に、エンコーダへの入力として与えられたデータのよりコンパクトな表現である、送信のための圧縮されたビットストリームを提供する。サーバ５１０は、コンポジション情報において定義されたメディアコンテンツの提示を所定の制約内で変更するために、上記の例で定義されたような変更パラメータを提供するＭＭＴデバイス５５０を更に設けられている。
【０１７１】
クライアント５２０は、送信されたビットストリームを受信し、再構成されたビットストリームを復号してクライアント端末でマルチメディアデータをレンダリングする。クライアント５２０のユーザは、本発明の実施形態の変更パラメータによって設定されている制約に従って、マルチメディアコンテンツの提示を変更してよい。
【０１７２】
図６は、本発明の実施形態に従う送信装置６００を表す。入力メディアデータ、例えば、オーディオ及びビデオデータは、メディアエンコーダ６１０で符号化される。符号化されたデータは、マルチプレクサ６２０で多重化され、送信器６３０で送信される。送信システムは、典型的なブロードキャストＴＶ環境において使用されてよく、あるいは、オーディオビジュアルサービスを提供するモバイルデバイスにおいて使用されてよい。ＭＭＴ−ＣＩモジュール６４０は、コンポジション情報において定義されているメディアコンテンツの提示を変更するために、上記の例で定義されたような変更パラメータを設定する。
【０１７３】
図７は、本発明の実施形態に従うユーザ端末７００を表す。ユーザ端末７００の入力データは、トランスポートビットストリーム、例えば、送信装置６００の出力であってよい。データは、受信器７１０で受信され、デマルチプレクサ７２０で逆多重化され、次いでメディアデコーダ７３０で復号される。復号されたパケットは、デマルチプレクサ７２０のバッファに置かれ得る。レンダリングエンジン７４０は、ＭＭＴ−ＣＩデータにおいて定義されている時間的／空間的関係と、変更パラメータとに従って、メディアコンテンツをレンダリングする。レンダリングエンジン７４０は、ＨＴＭＬ５ページ及びＣＩドキュメントを含むコンポジション情報を処理するＣＩエージェント７４５を設けられている。
【０１７４】
図８は、本発明の１つ以上の実施形態が実装され得る受信システム８００を表す。概観において、図８のビデオ受信器システムでは、ブローキャストプログラムコンテンツを表すオーディオ、ビデオ及び関連データを搬送する信号により変調されているブロードキャストキャリアは、アンテナ１０によって受信され、入力プロセッサ１３によって処理される。結果として得られるデジタル出力信号は復調器１５によって復調される。ユニット１５からの復調された出力は、デコーダ１７によって、トレリス復号され、バイト長のデータセグメントにマッピングされ、デインターリーブされ、リード・ソロモン誤り訂正を受ける。ユニット１７からの出力データは、プログラムを表す多重化されたオーディオ、ビデオ及びデータ成分を含む、ＭＰＥＧ準拠のトランスポートデータストリームの形をとる。ユニット１７からのトランスポートストリームは、ユニット２２によって、オーディオ、ビデオ及びデータ成分に逆多重化され、更にはデコーダ１００の他の要素によって処理される。１つのモードにおいて、デコーダ１００は、対応するコンポジション情報によって定義されている時間的／空間的関係に従う夫々ユニット５０及び５５での表示及びオーディオ再生と、本発明の実施形態の変更パラメータに従って実行される変更とのために、ＭＰＥＧ復号データを提供する。他のモードにおいて、ユニット１７からのトランスポートストリームは、記憶デバイス９０を介した記憶媒体１０５での記憶のためにＭＰＥＧ準拠のデータストリームを提供するようデコーダ１００によって処理される。
【０１７５】
ユーザは、リモートコントロールユニット７０を使用することによって、プログラムガイドのようなＴＶチャネル又はオンスクリーンのメニューのいずれかを見るよう選択する。プロセッサ６０は、視聴のために所望のプログラムチャネルを受信するよう図８の要素を適切に構成するために、リモートコントロールユニット７０からインターフェイス６５を介して提供された選択情報を使用する。プロセッサ６０は、プロセッサ６２及びコントローラ６４を有する。ユニット６２は、プログラムガイド及びシステム情報を含む、プログラムに特有の情報を処理する（すなわち、パースし、照合し、アセンブルする）。コントローラ６４は、デコーダ１００を動作させるのに必要な残りの制御機能を実行する。ユニット６０の機能は、図８に表されている別々の要素６２及び６４として実装されてよいが、それらは、代替的に、単一のプロセッサ内で実装されてよい。例えば、ユニット６２及び６４の機能は、マイクロプロセッサのプログラムされた命令内に組み込まれてよい。プロセッサ６０は、入力信号フォーマット及び符号化タイプを復調し復号するようプロセッサ１３、復調器１５、デコーダ１７及びデコーダシステム１００を構成する。
【０１７６】
図８を詳細に検討すると、アンテナ１０によって受信されたプログラムを表すオーディオ、ビデオ及び関連データを搬送する信号により変調されたキャリアは、入力プロセッサ１３によって、デジタル形式に変換され処理される。プロセッサ１３は、無線周波数（ＲＦ；Radio  Frequency）チューナ及び中間周波数（ＩＦ；Intermediate  Frequency）ミキサと、入力信号を、更なる処理に適したより低い周波数バンドにダウンコンバートする増幅段とを含む。
【０１７７】
例として、ビデオ受信器ユーザは、リモートコントロールユニット７０により視聴のためのサブチャネル（ＳＣ；Sub-Channel）を選択すると仮定される。プロセッサ６０は、選択されたサブチャネルｓｃに対応する物理チャネルを受信するようデコーダ１００の要素を適切に構成するために、リモートコントロールユニット７０からインターフェイス６５を介して提供された選択情報を使用する。
【０１７８】
プロセッサ２２へ提供される出力データは、幾つかのサブチャネルを通じて分配される多くのプログラムについてのプログラムチャネルコンテンツ及びプログラムに特有の情報を含むトランスポートデータストリームの形をとる。
【０１７９】
プロセッサ２２は、デコーダ１７によって提供された入来パケットのパケット識別子（ＰＩＤ；Packet  IDentifier）を、サブチャネルｓｃにおいて送信されているビデオ、オーディオ及びサブピクチャストリームのＰＩＤ値と照合する。それらのＰＩＤ値は、プロセッサ６０によって、ユニット２２内の制御レジスタに予め読み込まれている。プロセッサ２２は、サブチャネルｓｃにおいて送信されているプログラムを構成するパケットを捕捉し、それらをＭＰＥＧ準拠のビデオ、オーディオデータストリームへと、ビデオデコーダ２５、オーディオデコーダ３５へ夫々出力するために、形成する。ビデオ及びオーディオストリームは、選択されたサブチャネルｓｃのプログラムコンテンツを表す圧縮されたビデオ及びオーディオデータを含む。
【０１８０】
デコーダ２５は、ユニット２２からのＭＰＥＧ準拠のパケット化されたビデオデータを復号及び解凍し、解凍されたプログラムを表すピクセルデータを表示のためにデバイス５０へ供給する。同様に、オーディオプロセッサ３５は、ユニット２２からのパケット化されたオーディオデータを復号し、復号されたオーディオデータを、関連する解凍されたビデオデータと同期して、オーディオ再生のためにデバイス５５へ供給する。
【０１８１】
ＭＰＥＧデータは、対応するコンポジション情報によって定義されている時間的／空間的関係と、本発明の実施形態の変更パラメータに従って実行される変更とに従って、レンダリングされ得る。
【０１８２】
図８のシステムの記憶モードにおいて、ユニット１７からの出力データは、記憶のためのＭＰＥＧ準拠のデータストリームを提供するよう、デコーダ１００によって処理される。このモードでは、プログラムは、リモートコントロールユニット７０及びインターフェイス６５を介してユーザによって、記憶のために選択される。
【０１８３】
プロセッサ６０は、プロセッサ２２と協働して、選択されたプログラム及び関連するプログラムに特有の情報のパケット化されたコンテンツデータを含むコンポジットＭＰＥＧ準拠データストリームを形成する。コンポジットデータストリームは、記憶インターフェイス９５へ出力される。記憶インターフェイス９５は、データにおいてギャップ及びビットレート変動を減らすようコンポジットデータストリームをバッファリングする。結果として得られるバッファリングされたデータは、媒体１０５での記憶に適しているよう記憶デバイス９０によって処理される。記憶デバイス９０は、チャネル符号化、インターリービング及びリード・ソロモン符号化のような既知のエラー符号化技術によりインターフェイス９５からのバッファリングされたデータストリームを符号化して、記憶に適した符号化されたデータストリームを生成する。ユニット９０は、圧縮されたプログラムに特有の情報を組み込む結果として得られる符号化されたデータストリームを媒体１０５において格納する。
【０１８４】
ここで記載されている本発明の実施形態は、例えば、方法若しくはプロセス、装置、ソフトウェアプログラム、データストリーム、又は信号において、実装されてよい。たとえ単一の実施形態に関してしか論じられないとしても（例えば、方法としてしか論じられないとしても）、論じられている特徴の実施は、他の形態（例えば、装置又はプログラム）においても実施されてよい。装置は、例えば、適切なハードウェア、ソフトウェア、及びファームウェアにおいて実施されてよい。方法は、例えば、プロセッサのような装置において実施されてよい。プロセッサは、プロセッシングデバイス全般を指し、例えば、コンピュータ、マイクロプロセッサ、集積回路、又はプログラム可能なロジックデバイスを含む。プロセッサは、例えば、コンピュータ、タブレット、携帯電話機、ポータブル／パーソナルデジタルアシスタント（“ＰＤＡ”）、及びエンドユーザ間の情報のやり取りを助ける他のデバイスのような、通信デバイスを更に含む。
【０１８５】
本原理の「一実施形態」若しくは「実施形態」又は「一実施」若しくは「実施」及びそれらの他の変形への言及は、実施形態に関連して記載される特定の機構、構造、特性などが、本原理の少なくとも１つの実施形態において含まれることを意味する。よって、明細書中の様々な箇所に現れる「一実施形態において」若しくは「実施形態において」又は「一実施において」若しくは「実施において」との言い回しの出現は、必ずしも全てが同じ実施形態に言及しているわけではない。
【０１８６】
加えて、本願又はその特許請求の範囲は、様々な情報片を「決定する」ことに言及することがある。情報を決定することは、例えば、情報を推定すること、情報を計算すること、情報を予測すること、又は情報をメモリから取り出すこと、のうちの１つ以上を含んでよい。
【０１８７】
加えて、本願又はその特許請求の範囲は、様々な情報片を「受信する」ことに言及することがある。受信することは、「アクセスする」ことと同様に、広義語であるよう意図される。情報を受信することは、例えば、情報にアクセスすること、又は情報を（例えば、メモリから）取り出すこと、のうちの１つ以上を含んでよい。更に、「受信する」ことは、例えば、情報を記憶すること、情報を処理すること、情報を送信すること、情報を移動すること、情報をコピーすること、情報を消去すること、情報を計算すること、情報を決定すること、情報を予測すること、又は情報を推定することのような動作中に、通常、何らかの方法で関連する。
【０１８８】
当業者に明らかなように、実施は、例えば、記憶又は送信され得る情報を搬送するようフォーマットされた様々な信号を生成してよい。情報は、例えば、方法を実行する命令、記載される実施の１つによって生成されるデータを含んでよい。例えば、信号は、記載される実施形態のビットストリームを運ぶようフォーマットされてよい。そのような信号は、例えば、電磁波（例えば、スペクトルの無線周波数部分を使用する。）として、あるいは、ベースバンド信号として、フォーマットされてよい。フォーマット化は、例えば、データストリームを符号化し、符号化されたデータストリームによりキャリアを変調することを含んでよい。信号が運ぶ情報は、例えば、アナログ又はデジタル情報であってよい。信号は、知られている多種多様な有線又は無線リンクを介して送信されてよい。信号は、プロセッサ可読媒体において記憶されてよい。
【０１８９】
本発明は、具体的な実施形態を参照して上述されてきたが、本発明は、具体的な実施形態に制限されず、変形は、当業者に明らかであり、本発明の適用範囲内にある。
【０１９０】
例えば、上記の例は、ＭＭＴアセットに関して記載されてきたが、本発明は、他の形式のメディアエンティティ若しくは成分、又は他の形式のデータに適用されてよい。
【０１９１】
多くの更なる改良及び変形は、上記の実例となる実施形態を参照することで当業者に想到されるであろう。上記の実例となる実施形態は、単なる一例として与えられており、本発明の適用範囲を制限するよう意図されない。本発明の適用範囲は、もっぱら添付の特許請求の範囲によって決定される。特に、異なる実施形態からの異なる特徴は、適宜入れ替えられてよい。
ここで例としていくつかの付記を記載する。
（付記１）
１つ以上の表示サブ領域を有する少なくとも１つの表示領域においてメディアデータのコンテンツをレンダリングするための表示コンポジションデータを送信する方法であって、該表示コンポジションデータが、前記メディアデータのコンテンツ成分どうしの空間的関係及び時間的関係のうちの少なくとも１つを定義する、方法において、
夫々の表示領域及び／又は夫々の表示サブ領域について、当該夫々の表示領域又は表示サブ領域の視覚的構成がユーザによって如何にして変更され得るかを示す表示変更データを送信するステップ
を有する方法。
（付記２）
前記表示変更データは、前記夫々の表示領域又は表示サブ領域の前記視覚的構成がユーザによって変更され得るか否かを示す変更ロックパラメータを含む、
付記１に記載の方法。
（付記３）
前記表示変更データは、前記夫々の表示領域又は表示サブ領域の前記視覚的構成のユーザによる変更に課される変更制約を示す少なくとも１つの変更パラメータを含む、
付記１又は２に記載の方法。
（付記４）
表示領域についての夫々の変更ロックパラメータは、前記表示コンポジションデータの対応するビュー要素に含まれる、
付記２又は３に記載の方法。
（付記５）
表示サブ領域についての夫々の変更ロックパラメータは、前記表示コンポジションデータの対応するエリア要素に含まれる、
付記２乃至４のうちいずれか一項に記載の方法。
（付記６）
前記少なくとも１つの変更パラメータは、夫々の表示領域において表示されるメディアデータが当該夫々の表示領域と異なる他の表示領域において表示され得るか否かを示すロック・ツー・ビューパラメータを含む、
付記３乃至５のうちいずれか一項に記載の方法。
（付記７）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記３乃至６のうちいずれか一項に記載の方法。
（付記８）
前記ロック・ツー・ビューパラメータは、前記表示サブ領域に対応するコンポジションデータのエリア要素に含まれる、
付記７に記載の方法。
（付記９）
前記少なくとも１つの変更パラメータは、表示中に可視的である前記夫々の表示サブ領域の最低限の割合を定義する表示サブ領域可視パラメータを含む、
付記３乃至８のうちいずれか一項に記載の方法。
（付記１０）
前記表示サブ領域可視パラメータは、当該表示サブ領域に対応する表示コンポジションデータのエリア要素に含まれる、
付記９に記載の方法。
（付記１１）
前記表示サブ領域可視パラメータは、当該表示サブ領域と、該表示サブ領域と重なり合う他の表示サブ領域の総面積との比率に基づく、
付記９又は１０に記載の方法。
（付記１２）
サブ領域AreaNについての前記表示サブ領域可視パラメータVisibility(AreaN)は、次の式：
【数７】
0006529493.tif 000008

に従って決定され、AreaiはAreaNと重なり合う全てのAreaを指し、Transparencyは、対応する表示サブ領域の透明度の量に対応する重み係数に対応する、
付記１１に記載の方法。
（付記１３）
前記少なくとも１つの変更パラメータは、対応する表示領域又は表示サブ領域での表示中に可視的であるメディアコンテンツ成分の最低限の割合を定義する表示可視パラメータを含む、
付記３乃至１２のうちいずれか一項に記載の方法。
（付記１４）
１つ以上の表示サブ領域を有する少なくとも１つの表示領域でメディアデータのコンテンツを表示する方法であって、
前記少なくとも１つの表示領域でメディアデータのコンテンツをレンダリングするための、前記メディアデータのコンテンツ成分どうしの空間的関係及び時間的関係のうちの少なくとも１つを定義する表示コンポジションデータと、夫々の表示領域及び／又は夫々の表示サブ領域について、当該夫々の表示領域又は表示サブ領域の視覚的構成がユーザによって如何にして変更され得るかを示す表示変更データとを受信するステップと、
前記表示コンポジションデータによって定義される第１表示構成に従って前記表示領域で前記メディアデータのコンテンツ成分をレンダリングするステップであって、表示領域及び表示サブ領域が、前記表示変更データに応じて前記ユーザによって変更され得る、ステップと
を有する方法。
（付記１５）
前記表示変更データは、前記夫々の表示領域又は表示サブ領域の前記視覚的構成がユーザによって変更され得るか否かを示す変更ロックパラメータを含む、
付記１４に記載の方法。
（付記１６）
前記表示変更データは、前記夫々の表示領域又は表示サブ領域の前記視覚的構成のユーザによる変更に課される変更制約を示す少なくとも１つの変更パラメータを含む、
付記１４又は１５に記載の方法。
（付記１７）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記１６に記載の方法。
（付記１８）
前記少なくとも１つの変更パラメータは、表示中に可視的である前記夫々の表示サブ領域の最低限の割合を定義する表示サブ領域可視パラメータを含む、
付記１６又は１７に記載の方法。
（付記１９）
前記表示コンポジションデータは、ＭＭＴコンポジション情報を含む、
付記１乃至１８のうちいずれか一項に記載の方法。
（付記２０）
前記ＭＭＴコンポジション情報は、ＸＭＬドキュメントを含む、
付記１９に記載の方法。
（付記２１）
１つ以上の表示サブ領域を有する少なくとも１つの表示領域においてメディアデータのコンテンツをレンダリングするための表示コンポジションデータを送信する装置であって、該表示コンポジションデータが、前記メディアデータのコンテンツ成分どうしの空間的関係及び時間的関係のうちの少なくとも１つを定義する、装置において、
夫々の表示領域及び／又は夫々の表示サブ領域について、当該夫々の表示領域又は表示サブ領域の視覚的構成がユーザによって如何にして変更され得るかを示す表示変更パラメータを設定する表示変更パラメータ設定モジュールと、
前記表示コンポジションデータ及び前記表示変更パラメータを送信する送信器と
を有する装置。
（付記２２）
前記表示変更パラメータ設定モジュールは、前記夫々の表示領域又は表示サブ領域の前記視覚的構成がユーザによって変更され得るか否かを示す変更ロックパラメータを設定するよう構成される、
付記２１に記載の装置。
（付記２３）
前記表示変更パラメータ設定モジュールは、前記夫々の表示領域又は表示サブ領域の前記視覚的構成のユーザによる変更に課される変更制約を示す少なくとも１つの変更制約パラメータを設定するよう構成される、
付記２１又は２２に記載の装置。
（付記２４）
前記表示変更パラメータ設定モジュールは、前記表示領域の対応する表示サブ領域に関連し、該対応する表示サブ領域が当該表示サブ領域とは異なる他の表示領域においてレンダリングされ得るか否かを示すロック・ツー・ビューパラメータを設定するよう構成される、
付記２３に記載の装置。
（付記２５）
前記表示変更パラメータ設定モジュールは、表示中に可視的である前記夫々の表示サブ領域の最低限の割合を定義する表示サブ領域可視パラメータを設定するよう構成される、
付記２３又は２４に記載の装置。
（付記２６）
１つ以上の表示サブ領域を有する少なくとも１つの表示領域でのメディアデータのコンテンツの表示を変更する端末デバイスであって、
少なくとも１つの表示領域でメディアデータのコンテンツをレンダリングするための、前記メディアデータのコンテンツ成分どうしの空間的関係及び時間的関係のうちの少なくとも１つを定義する表示コンポジションデータを受信し、且つ、夫々の表示領域及び／又は夫々の表示サブ領域について、当該夫々の表示領域又は表示サブ領域の視覚的構成がユーザによって如何にして変更され得るかを示す表示変更データを受信する受信器と、
前記表示コンポジションデータから、前記メディアデータの１つ以上のコンテンツ成分どうしの空間的及び時間的関係を決定するレンダリングエンジンと、
前記表示コンポジションデータによって定義される第１表示構成に従って、前記表示領域で前記メディアデータのコンテンツ成分を表示するディスプレイと、
前記表示変更データに応じて表示領域又は表示サブ領域を変更するユーザインターフェイスと
を有する端末デバイス。
（付記２７）
前記表示変更データは、前記夫々の表示領域又は表示サブ領域の前記視覚的構成がユーザによって変更され得るか否かを示す変更ロックパラメータを含む、
付記２６に記載の端末デバイス。
（付記２８）
前記表示変更データは、前記夫々の表示領域又は表示サブ領域の前記視覚的構成のユーザによる変更に課される変更制約を示す少なくとも１つの変更パラメータを含む、
付記２６又は２７に記載の端末デバイス。
（付記２９）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記２８に記載の端末デバイス。
（付記３０）
前記少なくとも１つの変更パラメータは、表示中に可視的である前記夫々の表示サブ領域の最低限の割合を定義する表示サブ領域可視パラメータを含む、
付記２８又は２９に記載の端末デバイス。
（付記３１）
１つ以上の表示サブ領域を有する少なくとも１つの表示領域でレンダリングするためのメディアコンテンツを含むメディアデータと、
前記表示領域での前記メディアデータのレンダリングを制御するための、前記メディアデータのコンテンツ成分どうしの空間的関係及び時間的関係のうちの少なくとも１つを定義する表示コンポジションデータと、
夫々の表示領域及び／又は夫々の表示サブ領域について、当該夫々の表示領域又は表示サブ領域の視覚的構成がユーザによって如何にして変更され得るかを示す表示変更データと
を含むデータパケット。
（付記３２）
前記表示変更データは、前記夫々の表示領域又は表示サブ領域の前記視覚的構成がユーザによって変更され得るか否かを示す変更ロックパラメータを含む、
付記３１に記載のデータパケット。
（付記３３）
前記表示変更データは、前記夫々の表示領域又は表示サブ領域の前記視覚的構成のユーザによる変更に課される変更制約を示す少なくとも１つの変更パラメータを含む、
付記３１又は３２に記載のデータパケット。
（付記３４）
前記少なくとも１つの変更パラメータは、前記表示領域の対応する表示サブ領域に関連するロック・ツー・ビューパラメータを含み、前記対応する表示サブ領域が当該表示サブ領域とは異なる他の表示領域においてレンダリングされ得るか否かを示す、
付記３３に記載のデータパケット。
（付記３５）
前記少なくとも１つの変更パラメータは、表示中に可視的である前記夫々の表示サブ領域の最低限の割合を定義する表示サブ領域可視パラメータを含む、
付記３３又は３４に記載のデータパケット。
（付記３６）
前記表示変更データは、前記表示コンポジションデータに含まれる、
付記３１乃至３５のうちいずれか一項に記載のデータパケット。
（付記３７）
プログラム可能な装置のためのコンピュータプログラム製品であって、
前記プログラム可能な装置にロードされて実行される場合に、付記１乃至２０のうちいずれか一項に記載の方法を実施する命令のシーケンスを含むコンピュータプログラム製品。
【図１】
0006529493.tif 000010
【図２】
0006529493.tif 000011
【図３】
0006529493.tif 000012
【図４】
0006529493.tif 000013
【図５】
0006529493.tif 000014
【図６】
0006529493.tif 000015
【図７】
0006529493.tif 000016
【図８】
0006529493.tif 000017